(57)【要約】【課題】河川やクリーク（小水路）などの河川岸に設置して河川、クリークの護岸を図り、又これを通じて水の浄化、緑化なども図り、更に魚礁としても利用可能な河川護岸用コンクリートボックスを提供することにある。【解決手段】河川岸に設置されるコンクリートボックスを、上壁面２、両側壁面３、及び前方に向けて斜め下向きに傾斜し法面側となる傾斜壁面４をコンクリートで囲んで形成し、法面側となる傾斜壁面４に複数の開口窓部５を形成した。【選択図】　　　　図１
2004011357.tif 000002
【特許請求の範囲】
【請求項１】
河川岸に設置されるコンクリートボックスを、上壁面、両側壁面、及び前方に向けて斜め下向きに傾斜し法面側となる傾斜壁面をコンクリートで囲んで形成し、法面側となる傾斜壁面に複数の開口窓部を形成したことを特徴とする河川護岸用コンクリートボックス。
【請求項２】
河川岸に設置されるコンクリートボックスを、上壁面、両側壁面、及び前方に向けて斜め下向きに傾斜し法面側となる傾斜壁面をコンクリートで囲んで形成し、法面側となる傾斜壁面に複数の開口窓部を形成すると共に、河川岸設置時に水面下になる開口窓部には該開口窓部からコンクリートボックス内部に向けて複数の魚礁用コンクリート管が設置され、河川岸設置時に水面上になる開口窓部には植生されることを特徴とする河川護岸用コンクリートボックス。
【請求項３】
河川岸設置時に水面下になるコンクリートボックスの内部には水浄化材が充填されている請求項１又は請求項２記載の河川護岸用コンクリートボックス。
【請求項４】
河川岸に設置されるコンクリートボックスの両側壁面には複数の通水孔が形成され、コンクリートボックスの上端及び下端には該コンクリートボックス同士を上下に連結する連結部が設けられている請求項１又は請求項２記載の河川護岸用コンクリートボックス。
【請求項５】
魚礁用コンクリート管は透水性コンクリートで形成されると共に、開口窓部からコンクリートボックス内部に向けて設置された複数の魚礁用コンクリート管の間及びその周囲には水浄化材が充填され、植生される開口窓部の内部には土が充填されている請求項２記載の河川護岸用コンクリートボックス。
【発明の詳細な説明】
【０００１】
【発明の属する技術分野】
この発明は、河川や水の流れが殆どないクリーク（小水路）などの河川岸に設置して河川やクリークの護岸を図り、又これを通じて水の浄化、緑化なども図り、更に魚礁としても利用可能な河川護岸用コンクリートボックスに関するものである。
【０００２】
【従来の技術】
従来、河川やクリーク（小水路）などの河川岸では洪水による浸食などによって、河川岸の一部が崩壊し、河川岸沿いの道路などもこれによって崩壊するなどの不都合があり、このため、河川岸にはコンクリートによる法面が構築されて補強が図られている。
【０００３】
【発明が解決しようとする課題】
しかしながら、コンクリートが構築された河川岸の法面には草木がはえず、このため、河川岸の緑化が図られず、又河川の浄化も図られず、更に草木が生えないため、魚も寄りつかないなど、自然環境の保全にはほど遠かった。
【０００４】
この発明は、上記のような課題に鑑み、その課題を解決すべく創案されたものであって、その目的とするところは、河川やクリーク（小水路）などの河川岸に設置して河川、クリークの護岸を図り、又これを通じて水の浄化、緑化なども図り、更に魚礁としても利用可能な河川護岸用コンクリートボックスを提供することにある。
【０００５】
【課題を解決するための手段】
以上の目的を達成するために、請求項１の発明は、河川岸に設置されるコンクリートボックスを、上壁面、両側壁面、及び前方に向けて斜め下向きに傾斜し法面側となる傾斜壁面をコンクリートで囲んで形成し、法面側となる傾斜壁面に複数の開口窓部を形成した手段よりなるものである。
【０００６】
また、請求項２の発明は、河川岸に設置されるコンクリートボックスを、上壁面、両側壁面、及び前方に向けて斜め下向きに傾斜し法面側となる傾斜壁面をコンクリートで囲んで形成し、法面側となる傾斜壁面に複数の開口窓部を形成すると共に、河川岸設置時に水面下になる開口窓部には該開口窓部からコンクリートボックス内部に向けて複数の魚礁用コンクリート管が設置され、河川岸設置時に水面上になる開口窓部には植生される手段よりなるものである。
【０００７】
ここで、請求項１、請求項２の好ましい態様として、河川岸設置時に水面下になるコンクリートボックスの内部には水浄化材が充填されている。又、河川岸に設置されるコンクリートボックスの両側壁面には複数の通水孔が形成され、コンクリートボックスの上端及び下端には該コンクリートボックス同士を上下に連結する連結部が設けられている。
【０００８】
また、請求項２の好ましい態様として、魚礁用コンクリート管は透水性コンクリートで形成されると共に、開口窓部からコンクリートボックス内部に向けて設置された複数の魚礁用コンクリート管の間には水浄化材が充填され、植生される開口窓部の内部には土が充填されている。
【０００９】
【発明の実施の形態】
以下、図面に記載の発明の実施の形態に基づいて、この発明をより具体的に説明する。
ここで、図１は河川護岸用コンクリートボックスの斜視図、図２は河川護岸用コンクリートボックスの後方側から見た斜視図、図３は河川護岸用コンクリートボックスの断面図、図４は河川護岸用コンクリートボックスを河川岸に設置したときの斜視図、図５は河川護岸用コンクリートボックスを河川岸に設置したときの断面図である。
【００１０】
図において、河川護岸用コンクリートボックス１は、河川や水の流れが殆どないクリーク（小水路）などの河川岸に設置して河川やクリークの護岸を図り、又これを通じて水の浄化、緑化なども図り、更に魚礁としても利用可能なものである。
【００１１】
河川護岸用コンクリートボックス１は、上壁面２、両側壁面３、及び前方に向けて斜め下向きに傾斜し法面側となる傾斜壁面４をコンクリートで囲んで形成され、法面側となる傾斜壁面４に複数の開口窓部５が形成された構造からなっており、工場で製作されて現場に搬送され現場の河川岸に設置される。工場で製作されるために、現場の河川岸で構築される場合に比べて工期を短縮できる利点がある。
【００１２】
河川護岸用コンクリートボックス１は、上壁面２、両側壁面３、法面側となる傾斜壁面４はコンクリートで形成され、上壁面２、両側壁面３及び傾斜壁面４を形成するコンクリートの内部には例えば鉄筋が配筋されていて、鉄筋により補強されている。
【００１３】
また、河川護岸用コンクリートボックス１は、法面側となる傾斜壁面４の反対側となる背面側１１及び底面側１２は開口され、上壁面２、両側壁面３及び傾斜壁面４の四面側で囲まれた内部は空間１ａになっていて、内部空間１ａには後記の魚礁用コンクリート管６、水浄化材７、石類８、植生用の土８ａなどが充填される。
【００１４】
河川護岸用コンクリートボックス１の上部側を構成する上壁面２は、平面から見て長方形の形状をしており、長方形の二つの長辺のうちその一辺側に法面側となる傾斜壁面４に連なっており、又これと向かい合う他辺側は開口する背面側１１に連なっている。上壁面２の長方形の二つの両短辺側はそれぞれ側壁面３に連なっている。上壁面２は水平面に形成され、又は傾斜壁面４側に向けて非常に僅かに斜め下向きに傾斜する傾斜面に形成されている。
【００１５】
河川護岸用コンクリートボックス１の両側部側を構成する両側壁面３は、真向かいから見て、上壁面２側に連なる上辺と開口する底面側１２に連なる下辺が上下に略平行に形成され、法面側となる傾斜壁面４に連なる一側辺が下向きに傾斜拡幅する傾斜辺に形成され、開口する背面側１１に連なる他側辺が上下に略垂直な垂直辺に形成されている。また、両側壁面３は略垂直面に形成されていて、両側に別体の河川護岸用コンクリートボックス１を設置する場合に、略隙間なく設置できるようになっている。
【００１６】
両側壁面３には、必要に応じて通水孔３１が適宜間隔で複数形成されていて、河川護岸用コンクリートボックス１の内部の水はけが図られている。また、両側壁面３に通水孔３１を形成するのに代えて、両側壁面３が例えばポーラスコンクリートのような透水性コンクリートで形成されることもある。
【００１７】
河川護岸用コンクリートボックス１の正面部側を構成する傾斜壁面４は、真向かいから見て、方形状の形状を有し、左右の各側壁面３にそれぞれ連なる両側辺は垂直に形成され、上壁面２に連なる上辺側に対して底面側１２に連なる下辺側が前方側つまり手前に向かって下向きに傾斜する傾斜面に形成されている。この傾斜壁面４は設置時には河川又はクリークに面する法面側となる部分で下側は水面下になる。
【００１８】
設置時に河川又はクリークに面する法面側となる傾斜壁面４には、複数の開口窓部５が形成されている。開口窓部５を通じて傾斜壁面４の表面側は河川護岸用コンクリートボックス１の内部空間１ａと連通する。開口窓部５は例えば横長な長方形の形状をしており、上下及び左右方向に間隔をあけて複数形成されている。
【００１９】
河川護岸用コンクリートボックス１の河川又はクリークに設置時に水面下になる開口窓部５には、該開口窓部５から河川護岸用コンクリートボックス１の内部に向けて複数の魚礁用コンクリート管６が設置されている。魚礁用コンクリート管６は、河川やクリークで魚が繁殖或いは集まりやすいように取り付けられている。
【００２０】
魚礁用コンクリート管６は例えばポーラスコンクリートのような透水性コンクリートで形成されている。或いはポーラスコンクリートに代えてコンクリート管の側周面に小さいな透水孔が形成されることもある。透水性コンクリートの微小穴には微生物が付着し易く、この微生物の働きによって水を浄化する役目を果たす。魚礁用コンクリート管６は例えば円筒形の形状を有しており、開口窓部５側に位置する魚の出入口側は傾斜壁面４の傾斜角度と同様の角度で傾斜している。
【００２１】
開口窓部５から河川護岸用コンクリートボックス１の内部に向けて設置された複数の魚礁用コンクリート管６の間及びその周囲には、水浄化材７や石類８が充填されている。充填された水浄化材７や石類８によって複数の魚礁用コンクリート管６は固定される。
【００２２】
このうち、水浄化材７は河川やクリークの水を浄水化する機能を果たし、魚礁用コンクリート管６の周囲に充填された水浄化材７によって浄化された水は透水性の魚礁用コンクリート管６を側周面を透過して魚礁用コンクリート管６の内部に流入するため、魚は浄化された水を求めて魚礁用コンクリート管６の内部に入りやすくなる。
【００２３】
水浄化材７は水分中の浮遊物を吸着して濾過すると共に、水浄化材７の表面には微小な穴が多数形成されて一般に多孔質であり、微小の穴に微生物が付着してこの微生物の働きによって水の浄化する機能を果たす。この水浄化材７には、例えば椰子殻などの活性炭、木炭、貝殻、セラミックなどが使用される。
【００２４】
また、石類８は魚礁用コンクリート管６を固定する機能を果たすが、石類８も水浄化材７と同様に一部においては水を浄化する機能を果たす。石類８も水浄化材７と同様に水分中の浮遊物を吸着して濾過すると共に、付着した微生物の働きによって水の浄化する機能を果たす。この石類８には、例えば自然石、砕石、栗石、割石、小石などが使用される。
【００２５】
河川岸設置時に水面上になる開口窓部５には、花、木、草などの植物ａが植生される。このため、水面上になる開口窓部５の河川護岸用コンクリートボックス１の内部空間１ａには、植物ａが植生し易いような土８ａが充填されている。
【００２６】
また、河川護岸用コンクリートボックス１には、該河川護岸用コンクリートボックス１同士を上下に重ねて設置されて使用される場合もあるため、河川護岸用コンクリートボックス１の上端側と下端側には連結部９が必要に応じて設けられている。
【００２７】
連結部９は上下の河川護岸用コンクリートボックス１同士を連結するための例えば連結孔からなる。例えば連結孔からなる連結部９は、最上段に形成された開口窓部５の上端と上壁面２の上端との間に形成され、又最下段に形成された開口窓部５の下端と傾斜壁面４の下端との間に形成され、上下の連結部９の連結孔に図示しない連結ボルトを挿入してボルトで締めることによって、上下の河川護岸用コンクリートボックス１同士を連結するようになっている。
【００２８】
また、河川護岸用コンクリートボックス１の開口する背面側１１、底面側１２には、背面側１１及び底面側１２が開口することによって河川護岸用コンクリートボックス１の強度が低下するのを防ぐために、補助連結桁１３が必要に応じて取り付けられる。補助連結桁１３は例えば開口する背面側１１の下端側で且つ底面側１２の後端側となる位置に横設されている。補助連結桁１３はその両端が左右の側面３の背面側１１と底面側１２との交点側にそれぞれ連結されて横設されている。補助連結桁１３には例えば内部に鉄筋が配筋されたコンクリートが使用されている。
【００２９】
次に、上記発明の実施の形態の構成に基づく河川護岸用コンクリートボックスの設置作業について以下説明する。
河川やクリーク（小水路）などの河川岸の基礎ｂの施工後、予め工場などで製作された河川護岸用コンクリートボックス１を現地まで輸送し、クレーンなどを使用して河川岸の基礎ｂの上に据え付ける。
【００３０】
河川護岸用コンクリートボックス１を据え付けた後、水面下なる開口窓部５に魚礁用コンクリート管６を設置する。魚礁用コンクリート管６は傾斜面に形成された出入口を開口窓部５側に向けて、河川護岸用コンクリートボックス１の内部空間１ａに設置する。この魚礁用コンクリート管６の設置により、河川やクリークに魚が集まるようになる。
【００３１】
河川護岸用コンクリートボックス１の内部空間１ａに設置された魚礁用コンクリート管６の外周囲や魚礁用コンクリート管６同士の間には、例えば椰子殻などの活性炭、木炭、貝殻、セラミックなど水浄化材７を充填する。
【００３２】
また、水浄化材７と共に例えば自然石、砕石、栗石、小石などの石類８も充填して魚礁用コンクリート管６を固定する。水浄化材７や石類８を充填することによって、河川やクリーク（小水路）の水質の浄化を図ることができる。
【００３３】
河川護岸用コンクリートボックス１の内部空間１ａの水面下となる下部側に魚礁用コンクリート管６を設置し、その周囲に水浄化材７、石類８を充填した後、水面上となる内部空間１ａの上側には植生用の土８ａを充填する。
【００３４】
そして、河川護岸用コンクリートボックス１の水面上になる開口窓部５に植物ａを植生する。水面上になる開口窓部５の内部には植生用の土８ａが充填されているために、この土８ａによって植物ａは生育することができ、これにより、河川岸の緑化が図られる。
【００３５】
なお、この発明は上記発明の実施の形態に限定されるものではなく、この発明の精神を逸脱しない範囲で種々の改変をなし得ることは勿論である。
【００３６】
【発明の効果】
以上の記載より明らかなように、この発明に係る河川護岸用コンクリートボックスによれば、工場で予め製作された河川護岸用コンクリートボックスを現地の河川やクリーク（小水路）などの河川岸に設置するために、従来のように河川岸にコンクリートを打設して構築する場合に比べて、工期を短縮して河川、クリークの護岸を図ることができる。
また、河川護岸用コンクリートボックスの内部に水浄化材を充填することによって、河川やクリーク（小水路）の水質浄化を図ることができる。
また、河川護岸用コンクリートボックスの設置時に水面下となる開口窓部からその内部に魚礁用コンクリート管を設置することにより、魚礁としても利用することが可能になる。
また、河川護岸用コンクリートボックスの設置時に水面上となる開口窓部に植生することによって河川岸の緑化を図ることが可能となる等、極めて新規的有益なる効果を奏するものである。
【図面の簡単な説明】
【図１】この発明の実施の形態を示す河川護岸用コンクリートボックスの斜視図である。
【図２】この発明の実施の形態を示す河川護岸用コンクリートボックスの後方側から見た斜視図である。
【図３】この発明の実施の形態を示す河川護岸用コンクリートボックスの断面図である。
【図４】この発明の実施の形態を示す河川護岸用コンクリートボックスを河川岸に設置したときの斜視図である。
【図５】この発明の実施の形態を示す河川護岸用コンクリートボックスを河川岸に設置したときの断面図である。
【符号の説明】
１　　河川護岸用コンクリートボックス
１ａ　内部空間
１１　　背面側
１２　　底面側
１３　　補助連結桁
２　　上壁面
３　　側壁面
３１　　通水孔
４　　傾斜壁面
５　　開口窓部
６　　魚礁用コンクリート管
７　　水浄化材
８　　石類
８ａ　土
９　　連結部
ａ　　植物
ｂ　　基礎
【図１】
2004011357.tif 000003
【図２】
2004011357.tif 000004
【図３】
2004011357.tif 000005
【図４】
2004011357.tif 000006
【図５】
2004011357.tif 000007